(57)【要約】      （修正有）【課題】太陽高度に依存せず、屋内への導光量を一定以上の水準に維持するとともに、反射光に起因するグレアを防止することが可能な採光装置を提供する。【解決手段】採光装置は、太陽光Ｓを反射して反射光Ｒを屋内の天井面に照射し、対向する凹面及び凸面を有し、凹面で太陽光Ｓを反射する複数の長尺薄板状のスラット２を有する。各スラット２は、第１湾曲部２１、第２湾曲部２２及び第３湾曲部２３を有する。第１湾曲部２１は、第１太陽高度からの太陽光Ｓの反射光Ｒを天井面に照射する。第３湾曲部２３は、第１太陽高度よりも低い第２太陽高度からの太陽光Ｓの反射光Ｒを天井面に照射する。第２湾曲部２２は、第２太陽高度からの太陽光の反射光を天井面に照射し、また、第１湾曲部２１または上記第３湾曲部２３から照射された反射光Ｒを反射して、当該反射光Ｒに起因するグレアを抑制する。【選択図】図９
2019008956.tif 000002
【特許請求の範囲】
【請求項１】
太陽光を反射して反射光を屋内の天井面に照射する採光装置であって、
対向する凹面及び凸面を有し、前記凹面が上、前記凸面が下を向いた状態で建築物の開口部近傍に所定間隔を置いて配置され、前記凹面で前記太陽光を反射する複数の長尺薄板状のスラットを具備し、
前記各スラットは、
短手方向における屋外側の一端部から屋内側の他端部へ向かって第１距離の位置まで第１曲率で形成された第１湾曲部と、
前記短手方向における前記屋内側の他端部から前記屋外側の一端部へ向かって第２距離の位置まで第２曲率で形成された第２湾曲部と、
前記第１湾曲部と前記第２湾曲部とを接続し、前記第１曲率及び前記第２曲率よりも小さい第３曲率で形成された第３湾曲部と、を有し、
前記第１湾曲部は、第１太陽高度からの前記太陽光の反射光を前記天井面に照射し、
前記第３湾曲部は、前記第１太陽高度よりも低い第２太陽高度からの前記太陽光の反射光を前記天井面に照射し、
前記第２湾曲部は、前記第２太陽高度からの前記太陽光の反射光を前記天井面に照射し、または、前記第１湾曲部または前記第３湾曲部から照射された反射光を反射して当該反射光に起因するグレアを抑制する
採光装置。
【請求項２】
請求項１に記載の採光装置であって、
前記第１距離と第２距離とは略等しく、
前記第１曲率と前記第２曲率とは略等しく、
前記各スラットは、前記短手方向の断面において、前記一端部と前記他端部とを結ぶ直線を二分する直線に関して略対称な形状を有する
採光装置。
【請求項３】
請求項１または２に記載の採光装置であって、
前記各スラットは、前記屋外側の一端部が前記屋内側の他端部よりも上方に位置するように、前記屋内側に所定角度傾斜した状態で設けられる
採光装置。
【請求項４】
請求項３に記載の採光装置であって、
前記各スラットは、前記屋内側に所定角度傾斜した状態から、前記屋外側の一端部が前記屋内側の他端部よりも下方に位置するように、前記屋外側へ回動可能である
採光装置。
【請求項５】
請求項１乃至４のいずれかに記載の採光装置であって、
ヘッドボックスと、
前記各スラットの前記凸面に接触した状態で前記各スラットを整列状態に支持する複数の中段コードを有し、前記ヘッドボックスから吊下されたラダーコードと、をさらに具備し、
前記各スラットは、当該第３湾曲部の前記短手方向の長さが、前記第１湾曲部及び前記第２湾曲部の前記短手方向の長さの２倍以上となるように形成される
採光装置。
【発明の詳細な説明】
【技術分野】
【０００１】
本発明は、採光装置に関する。
【背景技術】
【０００２】
従来から、太陽光を屋内に取り入れる採光装置として、ブラインドのスラット構造を利用したものが知られている。
【０００３】
従来の採光装置として、下記特許文献１には、上面側が太陽光を反射するミラー面からなる略逆へ字状の複数の帯状板からなる採光装置において、各帯状板の屋内側端部の傾斜部を遮光部とし、太陽光をミラー面で反射させて屋内の天井に照射させ、ミラー面で反射することなく上下の帯状板間を通過して屋内に射し込む太陽光を遮光部によって遮光することが開示されている。
【０００４】
また上記特許文献２には、上に凹んだ鏡面仕上げ反射面を有する複数の上スラットと、上に凸の乱反射面を有する複数の下スラットからなる採光式ブラインドにおいて、上スラットの鏡面仕上げの反射面で窓からの外光を天井面に導入し、下方のスラットによって遮光あるいは目隠しすることが開示されている。
【先行技術文献】
【特許文献】
【０００５】
【特許文献１】特開２００４−２７８０６８号公報
【特許文献２】実開昭６３−９８９９３号公報
【発明の概要】
【発明が解決しようとする課題】
【０００６】
しかしながら、上記特許文献１に記載の技術においては、帯状板の断面形状がフラットな２片を接続する逆へ字状であるため、太陽高度に応じて帯状板を回転させる必要が生じる。また、スラット角度を一定化とした場合には、正反射した反射光は太陽高度が高いほど太陽光に正対する反射領域が大きくなって採光量及び反射光量が大きくなり、太陽高度が低いほど太陽光に正対する反射領域が小さくなって対応する採光量及び反射光量が小さくなり、太陽高度の変化に伴い屋内への導光量が変化してしまう。
【０００７】
また、上記特許文献２に記載の技術においては、下スラットと同様に、中段コード上に上スラットを載置する構造が検討できるが、上スラットの下面は曲率が一定の曲面となっていることから、スラットは前後に揺動しやすくなって安定せず、複数のスラットの角度にばらつきが生じやすくなる。
【０００８】
以上のような事情に鑑み、本発明の目的は、太陽高度に依存せず、屋内への導光量を一定以上の水準に維持するとともに、反射光に起因するグレアを防止することが可能な採光装置を提供することにある。
【課題を解決するための手段】
【０００９】
上記目的を達成するため、本発明の一形態に係る採光装置は、太陽光を反射して反射光を屋内の天井面に照射する採光装置であって、対向する凹面及び凸面を有し、上記凹面が上、前記凸面が下を向いた状態で建築物の開口部近傍に所定間隔を置いて配置され、上記凹面で上記太陽光を反射する複数の長尺薄板状のスラットを有する。
上記各スラットは、第１湾曲部、第２湾曲部及び第３湾曲部を有する。上記第１湾曲部は、短手方向における屋外側の一端部から屋内側の他端部へ向かって第１距離の位置まで第１曲率で形成される。上記第２湾曲部は、上記短手方向における上記屋内側の他端部から上記屋外側の一端部へ向かって第２距離の位置まで第２曲率で形成される。上記第３湾曲部は、上記第１湾曲部と上記第２湾曲部とを接続し、上記第１曲率及び上記第２曲率よりも小さい第３曲率で形成される。
上記第１湾曲部は、第１太陽高度からの上記太陽光の反射光を上記天井面に照射する。上記第３湾曲部は、上記第１太陽高度よりも低い第２太陽高度からの上記太陽光の反射光を上記天井面に照射する。上記第２湾曲部は、上記第２太陽高度からの上記太陽光の反射光を上記天井面に照射し、または、上記第１湾曲部または上記第３湾曲部から照射された反射光を反射して当該反射光に起因するグレアを抑制する。
【００１０】
この構成によれば、採光装置は、スラットを形成する第１湾曲部によって高い太陽高度からの太陽光を屋内天井面に反射させ、第３湾曲部によって低い太陽高度からの太陽光を屋内天井面に反射させて太陽光を屋内に採り入れることができ、スラットが曲率の異なる曲面が連続する形状を有することで、平坦面と比較して、太陽光に正対する面が均等化されるため、スラットの角度を固定した状態で使用されても、太陽高度に依存せず、屋内への導光量を一定以上の水準に維持することが可能となる。また、スラット面での反射した一部の反射光を第２湾曲部によって反射して、屋内の居住者方向への照射を阻止することでグレアの発生を抑制できるため、居住者は屋内において快適に過ごすことができる。また所定間隔とは例えば１５ｍｍ程度であるがこれに限られない。また第１太陽高度とは、例えば３０°〜８５°程度、第２太陽高度とは、例えば５°〜４０°程度であるが、これらに限られない。
【００１１】
上記第１距離と第２距離とは略等しく、上記第１曲率と上記第２曲率とは略等しく、上記各スラットは、上記短手方向の断面において、上記一端部と上記他端部とを結ぶ直線を二分する直線に関して略対称な形状を有していてもよい。
【００１２】
これにより採光装置は、スラットを（水平時）断面略左右対称形状としたことから、加工時（ロールフォーミング加工）において、形状安定性を向上でき、ねじれや反り、あるいは縁部の波打ちといった変形の発生を防止でき、反射光量を一定化することが可能となる。ここで第１曲率及び第２曲率は例えば１／２０（曲率半径Ｒ２０）であり、第３曲率は例えば１／１００（曲率半径Ｒ１００）であるが、これらに限られない。
【００１３】
上記各スラットは、上記屋外側の一端部が上記屋内側の他端部よりも上方に位置するように、上記屋内側に所定角度傾斜した状態で設けられてもよい。
【００１４】
これにより採光装置は、スラットを屋内側に傾斜させたことで、スラットの屋外側半分以上が屋内側に傾斜した曲面となるため、天井面のより奥側まで反射光を採り込むことが可能となり、太陽高度の変化によらず（太陽高度が２０°〜８０°程度の場合）、スラット角度を調整することなく一定のスラット角度でスラット面における反射光を天井面に採り込むことができる。ここで所定角度とは、例えば、建築物の床面から開口部（窓等）の下端部までの高さを１．８ｍ〜２．４ｍ、居住者の目線の高さを１．５ｍ〜１．７ｍ、質奥距離（屋内の開口部が設けられた面からその対向面までの距離）を１０ｍ〜４０ｍと想定した場合、おおよそ０．１°〜５．１°程度であるが、これに限られない。
【００１５】
また、上記各スラットは、上記屋内側に所定角度傾斜した状態から、上記屋外側の一端部が上記屋内側の他端部よりも下方に位置するように、上記屋外側へ回動可能であってもよい。
【００１６】
これにより採光装置は、太陽高度が水平に近い（２０°を下回る）状態での入射があることが想定される場合には、スラット角度を微調整することで、直射光が屋内の居住者方向へ入射するのを防止することができる。
【００１７】
上記採光装置は、ヘッドボックスと、ラダーコードとをさらに有していてもよい。当該ラダーコードは、上記凹面が上、前記凸面が下を向いた状態にある上記各スラットの上記凸面に接触した状態で上記各スラットを整列状態に支持する複数の中段コードを有し、上記ヘッドボックスから吊下される。この場合上記各スラットは、当該第３湾曲部の上記短手方向の長さが、上記第１湾曲部及び上記第２湾曲部の上記短手方向の長さの２倍以上となるように形成されてもよい。
【００１８】
これにより、スラットは凹面が上向き（凸面が下向き）の状態で中段コードに支持（載置）されており、第３湾曲部が、第１及び第２湾曲部よりも曲率が小さく、かつ、第１及び第２湾曲部の２倍以上の長さを有することで、第３湾曲部が第１及び第２湾曲部よりも直線に近い形状となり、かつ、全体として一律の曲率を有するスラットよりも全体として直線に近い形状となる。したがって、中段コードと第３湾曲部の接触面積が十分に確保され、少なくとも第３湾曲部がスラットの短手方向の全長に亘って中段コードに接触した状態で支持されるため、スラットが上記短手方向（前後方向）において傾くことなく安定した状態で支持される。上記第３湾曲部の短手方向の長さは、第１及び第２湾曲部の短手方向の長さの約４倍とされてもよい。
【発明の効果】
【００１９】
以上説明したように、本発明によれば、太陽高度に依存せず、屋内への導光量を一定以上の水準に維持するとともに、反射光に起因するグレアを防止することができる。しかし、当該効果は本発明を限定するものではない。
【図面の簡単な説明】
【００２０】
【図１】本発明の第１実施形態に係る採光装置の設置状況を示す、建築物の側面図である。
【図２】本発明の第１実施形態に係る採光装置の、通常使用時における側面図である。
【図３】本発明の第１実施形態に係る採光装置の、採光用スラットの角度を調整した状態を示す側面図である。
【図４】本発明の第１実施形態に係る採光装置の採光用スラット及び上段用ラダーコード部分の一部拡大図である。
【図５】上記採光用スラットの傾斜角度を説明するための建築物の側面図である。
【図６】本発明の第１実施形態に係る採光装置が設けられる屋内の各種条件に応じたスラットの傾斜角度を示した表である。
【図７】上記採光用スラットの各部の曲率を示す側面図である。
【図８】上記採光用スラットの各部の長さを示す側面図である。
【図９】上記採光用ラットによる太陽光の反射状況を示す側面図である。
【図１０】上記採光用スラットによる、太陽高度が高い場合における太陽光の反射状況を示す側面図である。
【図１１】上記採光用スラットによる、太陽高度が低い場合における太陽光の反射状況を示す側面図である。
【図１２】上記採光用スラットによる、太陽高度が図１０と図１１の間の場合における太陽光の反射状況を示す側面図である。
【図１３】上記採光用スラットによる、太陽高度が水平に近い場合における太陽光の反射状況を示す側面図である。
【図１４】本発明の第２実施形態に係る採光装置の採光用スラット及びラダーコード部分の一部拡大図である。
【図１５】本発明の第２実施形態に係る採光装置の採光用スラットの各部の長さを示す側面図である。
【発明を実施するための形態】
【００２１】
以下、図面を参照しながら、本発明の実施形態を説明する。
【００２２】
＜第１実施形態＞
まず、本発明の第１実施形態に係るブラインドについて説明する。
【００２３】
［採光装置の構成］
図１は、本実施形態に係る採光装置の設置状況を示す、建築物の側面図である。また図２は、当該採光装置の、通常使用時における側面図である。
【００２４】
図１に示すように、本実施形態に係る採光装置１００は、建築物の屋内と屋外を隔てる外壁に設けられた、窓等の開口部Ｏの近傍に、当該開口部Ｏの形状に沿って（開口部Ｏの上端から下端にかけて）設置される。ここで「屋内」とは典型的には部屋の内部（室内）であるが、天井面を有するものであれば廊下等であっても構わない。
【００２５】
当該採光装置１００は、太陽光Ｓを反射して、その反射光Ｒを屋内の天井面Ｃに照射するための装置である。
【００２６】
図１乃至図３に示すように、採光装置１００は、ヘッドボックス１と、複数の採光用スラット２と、上段用ラダーコード３と、昇降コード４と、中間ボックス５と、複数の日射調整用スラット６と、下段用ラダーコード７と、ボトムレール８とを有する。
【００２７】
当該採光装置１００は、中間ボックス５によって上段側と下段側に隔てられており、上段側に採光用スラット２が設けられ、下段側に日射調整用スラット６が設けられる。
【００２８】
採光用スラット２及び日射調整用スラット６は、共に、対向する凹面及び凸面を有する長尺薄板状からなり、アルミニウム等の鋼板によって製造され、その長手方向が各図Ｙ方向に平行となるように設けられている。
【００２９】
採光用スラット２は、一般的なブラインドにおける（日射遮蔽・調整用の）スラットと異なり、太陽光Ｓを反射して反射光Ｒを屋内に取り込むためのスラットであり、そのため、凹面が上、凸面が下を向いた状態で設けられ、かつ、当該凹面は鏡面加工が施されている。
【００３０】
採光用スラット２の下端は、上記開口部Ｏのうち、図１の水平面Ｈに対応する。当該水平面Ｈは、居住者Ｕの目線よりも高い位置に設定されており、反射光Ｒが当該水平面Ｈよりも上方向に反射され、天井面Ｃに照射される。
【００３１】
また詳細は後述するが、採光用スラット２は、その短手方向（Ｘ方向）における屋外側の一端部（各図左端）が屋内側の他端部（各図右端）よりも上方に位置するように、屋内側に所定角度傾斜した状態で設けられている。
【００３２】
日射調整用スラット６は、一般的なブラインドと同様の日射遮蔽・調整機能を有するスラットであり、凸面が上、凹面が下を向いた状態で設けられる。
【００３３】
採光用スラット２及び日射調整用スラット６は、いずれも各図Ｚ方向に間隔を置いて設けられるが、採光用スラット２の設置間隔は、屋内への直射光の入射を防止するため、日射調整用スラット６の設置間隔よりも短く設定されている。採光用スラット２の設置間隔は例えば１５ｍｍであるが、これに限られない。
【００３４】
ヘッドボックス１は、例えばその上面または背面に設けられた図示しないブラケットによって、上記開口部Ｏの上部の窓枠や壁等の所定面にネジ等により固定される。
【００３５】
上段用ラダーコード３は、ヘッドボックス１から吊下されており、当該上段用ラダーコード３によって各採光用スラット２が整列状態に支持されている。上段用ラダーコード３の下端は、採光用スラット２の下方に設けられた中間ボックス５に連結される。
【００３６】
下段用ラダーコード７は、中間ボックス５から吊下されており、当該下段用ラダーコード７によって各日射調整用スラット６が整列状態に支持されている。
【００３７】
昇降コード４は、ヘッドボックス１から吊下され、各採光用スラット２及び各日射調整用スラット６に設けられた挿通孔（図示せず）に挿通されており、その下端はボトムレール８に連結されている。
【００３８】
ヘッドボックス１の内部には、上記上段用ラダーコード３及び昇降コード４の各上端が導入される昇降回転装置及び下段用ラダーコード７の上端が導入される回転装置が設けられる。下段用ラダーコード７の上端は、中間ボックス５に導入後に各採光用スラット２に設けられた挿通孔を昇降コード４とともに挿通し、ヘッドボックス１に導入される。当該各昇降回転装置は、それぞれ、図示しない上段用操作コード及び下段用操作コードに連結されており、当該各操作コードに対するユーザの操作に連動して、Ｙ軸方向の回転軸によって時計回りまたは反時計回りに回転可能とされている。
【００３９】
昇降コード４の上端は、上記ヘッドボックス１内の昇降回転装置（昇降ドラム）に連結されており、上段用操作コードがユーザに操作されると、昇降ドラムの外周面上に昇降コード４が巻き取られ、または昇降ドラムの外周面から昇降コード４が巻き解かれることで、日射調整スラット６がボトムレール８上に積層されながら昇降される。
【００４０】
上段用ラダーコード３は、上記上段用操作コードがユーザに操作されると、ヘッドボックス１内の昇降回転装置の所定角度範囲の回転に連動して傾動することで採光用スラット２を回転させる。
【００４１】
下段用ラダーコード７は、上記下段用操作コードがユーザに操作されると、ヘッドボックス１内の回転装置の所定角度範囲の回転に連動して傾動することで日射調整用スラット６を回転させる。
【００４２】
これらにより、採光用スラット２の傾斜角、及び、日射調整用スラット６の傾斜角（日射調整用スラット６間の開放状態と閉塞状態）が調整される。図２Ａは日射調整用スラット６の全開（水平）状態を示しており、同図Ｂは日射調整用スラット６の全閉状態を示している。
【００４３】
採光用スラット２は、通常は、太陽高度に関わらず、図２に示した一定の角度で使用されるが、太陽高度が開口部Ｏに対して水平に近くなった場合には、各採光用スラット２の間から直射光Ｓが居住者Ｕ方向へ入射するのを防ぐため、必要に応じてその角度が調整される。
【００４４】
図３は、当該採光用スラット２の角度を調整した状態を示す側面図である。
【００４５】
同図Ａに示すように、採光用スラット２を、図２に示した状態から、採光用スラット２の屋内側の端部が屋外側の端部よりも上方に位置するように、同図の反時計回りに回転させることで、水平に近い太陽光Ｓの屋内への入射を防ぐことができる。
【００４６】
また同図Ｂに示すように、採光用スラット２を、その凹面が屋内側を向くように、同図の時計回りに回転させることによっても、上記太陽光Ｓの屋内への入射を防ぐことができる。
【００４７】
［採光用スラットの詳細］
次に、上記採光用スラット２の詳細について説明する。
【００４８】
図４は、当該採光用スラット２及び上段用ラダーコード３を示す部分拡大図である。また図７は、上記採光用スラット２の各部の曲率を示す側面図であり、図８は、当該採光用スラット２の各部の長さを示す側面図である。また図９は、採光用スラット２による太陽光Ｓの反射状況を示す側面図である。
【００４９】
図４に示すように、上段用ラダーコード３は、ヘッドボックス１から吊下されるＸ方向前後の垂直コード３１と、上下方向（Ｚ方向）において所定間隔（例えば１５ｍｍ程度）を空けた位置で上記前後の垂直コード３１間に架設される中段コード３２とからなる。各採光用スラット２は、その凸面に中段コード３２が接した状態（中段コード３２に載置された状態）で中段コード３２に支持される。
【００５０】
また上述したように、採光用スラット２は、その短手方向（Ｘ方向）における屋外側の一端部が屋内側の他端部よりも上方に位置するように、屋内側に所定角度θｇだけ傾斜した状態で設けられている。これにより、採光用スラット２の屋外側の一端部は、その屋内側の他端部よりも、同図Ｚ方向における距離αだけ上方に位置することになる。
【００５１】
この傾斜角度θｇは、太陽高度に関わらず屋内側に一定水準以上の量の採光を得るとともに、採光用スラット２による反射光Ｒが上記図１に示した水平面Ｈよりも下方に照射されて居住者Ｕの眼に入射し、グレア源となるのを防止するためのグレア防止角度である。
【００５２】
本発明者等は、このグレア防止用の傾斜角度θｇについて種々の検討を行った。図５は、当該傾斜角度θｇを説明するための建築物の側面図であり、図６は、採光装置１００が設けられる室内の各種条件に応じた傾斜角度θｇを示した表である。
【００５３】
上記傾斜角度θｇは、上記水平面Ｈよりも下方向に反射された反射光Ｒが、居住者Ｕの眼に直接入射しないための、反射角Ｒの最大角度である。いずれの採光用スラット２からの反射光Ｒも居住者Ｕの眼に直接入射しないようにするためには、屋内空間における居住者Ｕの想定される行動範囲の中で、この反射角の最大角度が最も小さくなる場合の角度を算出し、それを傾斜角度θｇとすればよい。
【００５４】
反射角の最大角度が最も小さくなる場合は、最下端の採光用スラット２による反射光Ｒが、屋内のうち、開口部Ｏが設けられた面と対向する壁面の近傍に居る居住者Ｕの眼に入射する場合である。すなわち、傾斜角度θｇは、ＨＢを床面から窓等の開口部Ｏ（採光用スラット２）の下端の高さ、ＨＥを床面から居住者Ｕの目線の高さ、ＤＲを室奥距離（開口部Ｏが設けられた面からその対向面までの距離）とすると、図５の式（Ａ）により求めることができる。
【００５５】
そして、図６に示すように、上記ＨＢの範囲を１．８ｍ〜２．４ｍ、ＨＥの範囲を１．５ｍ〜１．７ｍ、ＤＲの範囲を１０ｍ〜４０ｍと想定して、上記式（Ａ）に基づき計算した結果、上記傾斜角度θｇは、おおよそ０．１°〜５．１°程度の範囲になることが分かった。
【００５６】
本実施形態においては、そのうち、ＨＢを２ｍ、ＨＥを１．５ｍ、ＤＲを１５ｍと想定し、傾斜角度θｇは約１．９°に設定している。
【００５７】
このように、採光用スラット２が傾斜角度θｇだけ屋内側に傾斜していることで、採光用スラット２の屋外側半分以上が屋内側に傾斜した曲面となるため、天井面Ｏのより奥側まで反射光Ｒを採り込むことが可能となる。太陽高度がおおよそ２０°〜８０°程度の場合には、太陽高度の変化に依存することなく、採光用スラット２の角度を調整することなく一定の角度で凹面における反射光Ｒを天井面Ｏに採り込むことができる。
【００５８】
また図４、図７乃至図９に示すように、採光用スラット２は、第１湾曲部２１、第２湾曲部２２、及び第３湾曲部２３を有する。
【００５９】
図７及び図８に示すように、第１湾曲部２１は、採光用スラット２の短手方向（Ｘ方向）における屋外側の一端部から屋内側の他端部へ向かって、距離ｂの位置まで、所定の曲率（曲率半径Ｒ１）で形成されている。
【００６０】
また第２湾曲部２２は、上記短手方向における屋内側の他端部から上記屋外側の一端部へ向かって、上記距離ｂの位置まで、上記所定の曲率（曲率半径Ｒ１）で形成されている。
【００６１】
そして第３湾曲部２３は、上記第１湾曲部２１と第２湾曲部２２とを接続しており、上記第１湾曲部２１及び第２湾曲部２２よりも小さい曲率（曲率半径Ｒ２）で形成される。
【００６２】
ここで、曲率半径Ｒ１は例えば２０であり、曲率半径Ｒ２は例えば１００であるが、これらに限られない。
【００６３】
すなわち本実施形態では、第１湾曲部２１と第２湾曲部２２の曲率及び短手方向における長さは等しく形成されている。したがって採光用スラット２は、図８に示すように、上記短手方向（Ｘ方向）の断面において、上記一端部と上記他端部とを結ぶ直線Ｌ１を二分する直線Ｌ２に関して対称（同図において左右対称）な形状を有している。採光用スラット２を断面対称形状としたことから、その加工（ロールフォーミング加工）時において、形状安定性を向上でき、ねじれや反り、あるいは縁部の波打ちといった変形の発生を防止でき、反射光量を一定化することが可能となる。
【００６４】
また、本実施形態における採光用スラット２のＺ方向の長さ（幅）は５０ｍｍであり、第１湾曲部２１、第２湾曲部２２、第３湾曲部２３の各長さは、図８に示すように、ａ＞２ｂとなるように設計されている。本実施形態では特に、第３湾曲部２３の長さａは、第１湾曲部２１及び第２湾曲部２２の長さｂの４倍弱とされている。
【００６５】
上述したように、採光用スラット２がその凹面が上向きの状態で中段コード３２に支持されており、第３湾曲部２３が、第１湾曲部２１及び第２湾曲部２２よりも曲率が小さく形成されている。そして、第３湾曲部２３が第１湾曲部２１及び第２湾曲部湾曲部２２の２倍以上の長さを有することで、第３湾曲部２３が第１湾曲部２１及び第２湾曲部２２よりも直線に近い形状となり、かつ、全体として一律の曲率を有するスラットよりも全体として直線に近い形状となる。したがって、図４に示すように、中段コード３２と第３湾曲部２３の接触面積が十分に確保され、少なくとも第３湾曲部２３が採光用スラット２の短手方向（Ｘ方向）の全長に亘って中段コード３２に接触した状態で支持されるため、採光用スラット２が上記短手方向において傾くことなく、安定した状態で支持される。
【００６６】
図９に示すように、第１湾曲部２１は、比較的高い太陽高度（例えば３０°〜８５°程度）からの上記太陽光Ｓの反射光Ｗを上記天井面Ｏに照射し、第３湾曲部２３は、比較的低い太陽高度（例えば５°〜４０°程度）からの上記太陽光Ｓの反射光Ｗを上記天井面Ｏに照射する。
【００６７】
また第２湾曲部２２は、上記比較的低い太陽高度からの太陽光Ｓの反射光Ｗを上記天井面Ｏに照射し、または、第１湾曲部２１または第３湾曲部２３から照射された反射光Ｗを反射して、当該反射光Ｗに起因するグレアを抑制する。
【００６８】
図１０は、採光用スラット２による、太陽高度が比較的高い場合（約７０°）における太陽光Ｓの反射状況を示す側面図である。
【００６９】
同図に示すように、この場合、第１湾曲部２１が太陽光Ｓを反射して、その反射光Ｒの一部を天井面Ｏ方向に照射している。また第２湾曲部２２は、第１湾曲部２１の反射光Ｒのうち、上記水平面Ｈよりも下方に向かう反射光を反射して、それを天井面Ｏ方向に照射している。これにより反射光に起因するグレアが防止される。
【００７０】
図１１は、採光用スラット２による、太陽高度が比較的低い場合（約２０°）における太陽光Ｓの反射状況を示す側面図である。
【００７１】
同図に示すように、この場合、第３湾曲部２３が太陽光Ｓを反射し、その反射光Ｒのほぼ全てを天井面Ｏ方向に照射している。また第２湾曲部２２は、第３湾曲部２３の反射光Ｒのうち、上記水平面Ｈよりも下方に向かう反射光を反射して、それを天井面Ｏ方向に照射している。これにより反射光に起因するグレアが防止される。
【００７２】
図１２は、上記採光用スラット２による、太陽高度が上記図１０と図１１の間の場合（約４５°）における太陽光Ｓの反射状況を示す側面図である。
【００７３】
同図に示すように、この場合、第１湾曲部２１及び第３湾曲部２３が太陽光Ｓを反射して、その反射光Ｒの一部を天井面Ｏ方向に照射し、他の一部は直上に位置する採光用スラット２の下面によって拡散あるいは吸収される。また第２湾曲部２２は、第１湾曲部２１の反射光Ｒのうち、上記水平面Ｈよりも下方に向かう反射光を反射して、それを天井面Ｏ方向に照射している。これにより反射光に起因するグレアが防止される。
【００７４】
図１３は、採光用スラット２による、太陽高度が水平に近い場合における太陽光Ｓの反射状況を示す側面図（上記図３Ａに対応）である。
【００７５】
同図に示すように、この場合、採光用スラット２が、その短手方向における屋外側の一端部が上記屋内側の他端部よりも下方に位置するように、上記屋外側へ回動されることで、第３湾曲部２３が太陽光Ｓを反射して、その反射光Ｒのほぼ全てを天井面Ｏ方向に照射している。これにより直射光が屋内の居住者Ｕに入射するのが防止される。
【００７６】
［まとめ］
以上説明したように、本実施形態によれば、採光装置１００は、採光用スラット２を形成する第１湾曲部２１によって高い太陽高度からの太陽光Ｓを屋内の天井面Ｏに反射させ、第３湾曲部２３によって低い太陽高度からの太陽光Ｓを天井面Ｏに反射させて太陽光Ｓを屋内に採り入れることができる。また、採光用スラット２が曲率の異なる曲面が連続する形状を有することで、平坦面のスラットと比較して、太陽光Ｓに正対する面が均等化されるため、採光用スラット２の角度を固定した状態で使用されても、太陽高度に依存せず、屋内への導光量を一定以上の水準に維持することが可能となる。さらに、採光用スラット２の凹面で反射した一部の反射光を第２湾曲部２２によって反射して、屋内の居住者Ｕ方向への照射を阻止することでグレアの発生を抑制できるため、居住者は屋内において快適に過ごすことができる。
【００７７】
＜第２実施形態＞
次に、本発明の第２実施形態に係る採光装置について説明する。本実施形態以降の実施形態において、上記第１実施形態と同様の機能を有する部分には同一の符号を付す。また、上記第１実施形態と同様の構成となる部分については説明を省略または簡略化する。
【００７８】
図１４は、本実施形態に係る採光装置１００の採光用スラット２及びラダーコード３の部分拡大図である。また図１５は、本実施形態に係る採光装置１００の採光用スラット２の各部の長さを示す側面図である。
【００７９】
上述の第１実施形態では、採光用スラット２の短手方向（Ｘ方向）の幅は５０ｍｍとされたが、本実施形態では、当該採光用スラット２の短手方向（Ｘ方向）の幅は２５ｍｍとされている。
【００８０】
そして、上述の第１実施形態では、第３湾曲部の同方向の長さａは、第１湾曲部２１及び第２湾曲部の同方向の長さの４倍弱とされたが、本実施形態では、図１５に示すように、第３湾曲部の同方向の長さａ'は、第１湾曲部２１及び第２湾曲部のＸ方向の長さｂの２倍よりも僅かに大きい長さに設計される。
【００８１】
これにより、第３湾曲部２３の長さａ'を調整することにより、図１４に示すように、上述の第１実施形態と同様に、第３湾曲部２３が第１湾曲部２１及び第２湾曲部２２よりも直線に近い形状となり、かつ、全体として一律の曲率を有するスラットよりも全体として直線に近い形状となり、中段コード３２と第３湾曲部２３の接触面積を十分に確保され、採光用スラット２が上記短手方向において傾くことなく、安定した状態で支持される。
【００８２】
＜変形例＞
本発明は上述の実施形態にのみ限定されるものではなく、本技術の要旨を逸脱しない範囲内において種々変更され得る。
【００８３】
採光用スラット２の第１湾曲部２１、第２湾曲部２２及び第３湾曲部２３の曲率及び長さは、上述した各実施形態に示されたものに限られず、第１湾曲部２１及び第２湾曲部２２の曲率が第３湾曲部２３の曲率よりも大きい限り如何様な曲率にも設定でき、また第３湾曲部２３の長さが第１湾曲部２１及び第２湾曲部２２の長さの２倍よりも大きい限り、如何様な長さにも設定できる。
【００８４】
また上述の実施形態においては、第１湾曲部２１と第２湾曲部２２の曲率及び長さは同一に形成されていたが、当該曲率は、第３湾曲部２３の曲率よりも大きい限り、同一である必要はなく、長さｂは、両者を加えた長さが第３湾曲部の長さａよりも小さい限り、同一である必要は無い。したがって、採光用スラット２の短手方向（Ｘ方向）の断面は、上記図８の直線Ｌ２に関して非対称であってもよい。
【００８５】
上述の各実施形態では、採光装置１００は、中間ボックス５によって上段と下段に隔てられ、上段に採光用スラット２が、下段に日射調整用スラット６が設けられた構成とされた。しかし、例えば開口部Ｏが外壁の上方のみに設けられている場合等には、日射調整用スラット６（及び中間ボックス５）は不要であり、この場合採光装置１００は、採光用スラット２の直下にボトムレール８が設けられた構成とされてもよい。
【符号の説明】
【００８６】
１…ヘッドボックス
２…採光用スラット
３…上段用ラダーコード
４…昇降コード
５…中間ボックス
６…日射調整用スラット
７…下段用ラダーコード
８…ボトムレール
２１…第１湾曲部
２２…第２湾曲部
２３…第３湾曲部
３２…中段コード
１００…採光装置
Ｃ…天井面
Ｏ…開口部
Ｓ…太陽光
Ｒ…反射光
θｇ…傾斜角度
【図１】
2019008956.tif 000003
【図２】
2019008956.tif 000004
【図３】
2019008956.tif 000005
【図４】
2019008956.tif 000006
【図５】
2019008956.tif 000007
【図６】
2019008956.tif 000008
【図７】
2019008956.tif 000009
【図８】
2019008956.tif 000010
【図９】
2019008956.tif 000011
【図１０】
2019008956.tif 000012
【図１１】
2019008956.tif 000013
【図１２】
2019008956.tif 000014
【図１３】
2019008956.tif 000015
【図１４】
2019008956.tif 000016
【図１５】
2019008956.tif 000017